(57)【要約】【課題】ユーザーが好きなときに物品を乾燥できる物品乾燥装置を提供すること。【解決手段】物品乾燥装置の温風発生手段として便器装置の温風発生手段を用いる。便器装置は、個人のユーザが使用するか或いは少人数のユーザが共用するのみであるため、各ユーザーが好きなときに物品を乾燥できる。【選択図】図１
2007077716.tif 000002
【特許請求の範囲】
【請求項１】
中空の乾燥室と、
便器装置に設けられている温風発生手段に連絡する導入口と、該乾燥室の中空内部に連絡する吹出口と、が連絡されてなる温風導入経路部と、を備え、
該乾燥室の中空内部には、該温風発生手段から吹き出した温風が該温風導入経路部を介して導入されることを特徴とする物品乾燥装置。
【請求項２】
前記温風導入経路部を開閉する開閉手段を備える請求項１に記載の物品乾燥装置。
【請求項３】
温風発生手段を備える便器装置と、
中空の乾燥室と、
該温風発生手段に連絡する導入口と、該乾燥室の中空内部に連絡する吹出口と、が連絡されてなる温風導入経路部と、を備え、
該乾燥室の中空内部には、該温風発生手段から吹き出した温風が該温風導入経路部を介して導入されることを特徴とする物品乾燥便器装置。
【請求項４】
前記温風導入経路部を開閉する開閉手段を備える請求項３に記載の物品乾燥便器装置。
【発明の詳細な説明】
【技術分野】
【０００１】
本発明は物品を乾燥する物品乾燥装置および物品乾燥装置を備える便器装置に関する。
【背景技術】
【０００２】
物品乾燥装置としては従来より種々のものが知られている。従来の物品乾燥装置の一つとしてスキー用の手袋を乾燥させるスキー用手袋乾燥装置が挙げられる（例えば、特許文献１参照）。使用後のスキー用手袋には、雪やユーザーの汗などに由来する多量の水分が残留しがちであるが、例えば革製のスキー用手袋は容易に自然乾燥しない。このため、何らかの手段で乾燥する必要がある。従来は、濡れたスキー用手袋をストーブ等の近傍に置いて、スキー用手袋を加熱乾燥するのが一般的であった。しかし、加熱するのみではスキー用手袋の乾燥に長時間を要する問題があった。したがって、特許文献１に開示されるスキー用手袋乾燥装置では、温風によってスキー用手袋を乾燥している。
【０００３】
特許文献１の実施例には、多数のユーザーで共用するためのスキー用手袋乾燥装置が開示されている。このスキー用手袋乾燥装置は、メッシュ状の区画壁で上下方向に区画された複数のチャンバを備えている。このスキー用手袋乾燥装置によると、共通のヒータとファンとによって生じた共通の温風を各チャンバに流通させて、各チャンバ内部に別々に収容されているスキー用手袋を同時に乾燥している。各チャンバを区画する区画壁はメッシュ状に形成されているために、空気は各チャンバ間を流通する。このため個々のユーザーが異なるタイミングでスキー用手袋を出し入れすると、スキー用手袋の乾燥に要する時間が非常に長くなる問題があった。すなわち、装置が作動している間に一つのチャンバを開くと、開いたチャンバ内の空気が外界に漏出するとともに、他のチャンバ内の空気もまた外界に漏出する。このため、全てのチャンバ内の温度が低下する。したがって、他のチャンバに収容されているスキー用手袋の乾燥に要する時間が長くなる。よって、装置が作動している間はスキー用手袋の出し入れができず、不便であった。
【０００４】
各チャンバに別々にヒータとファンとを設けると、個々のユーザーが異なるタイミングでスキー用手袋を出し入れすることができ、かつ、スキー用手袋の乾燥に過大な時間を要しないと考えられる。しかしこの場合には、スキー用手袋乾燥装置が非常に大型化するとともに、スキー用手袋乾燥装置の製造コストも非常に高くなる問題がある。
【特許文献１】特開平５−１９６３５０号公報
【発明の開示】
【発明が解決しようとする課題】
【０００５】
本発明は上記事情に鑑みて成されたものであり、ユーザーが好きなときに物品を乾燥できる物品乾燥装置を提供することを目的とする。
【課題を解決するための手段】
【０００６】
上記課題を解決する第１発明の物品乾燥装置は、中空の乾燥室と、便器装置に設けられている温風発生手段に連絡する導入口と、乾燥室の中空内部に連絡する吹出口と、が連絡されてなる温風導入経路部と、を備え、乾燥室の中空内部には、温風発生手段から吹き出した温風が温風導入経路部を介して導入されることを特徴とする。
【０００７】
第１発明の物品乾燥装置は、上記温風導入経路部を開閉する開閉手段を備えることが好ましい。
【０００８】
上記課題を解決する第２発明の物品乾燥便器装置は、温風発生手段を備える便器装置と、中空の乾燥室と、温風発生手段に連絡する導入口と、乾燥室の中空内部に連絡する吹出口と、が連絡されてなる温風導入経路部と、を備え、乾燥室の中空内部には、温風発生手段から吹き出した温風が温風導入経路部を介して導入されることを特徴とする。
【０００９】
第２発明の物品乾燥便器装置は、上記温風導入経路部を開閉する開閉手段を備えることが好ましい。
【発明の効果】
【００１０】
近年の便器装置としては、ユーザーの局部を洗浄するための局部洗浄乾燥装置が配設されたもの（所謂シャワートイレ）が一般的である。局部洗浄乾燥装置は、一般に、ユーザーの局部を洗浄する洗浄手段と、洗浄後のユーザーの局部を乾燥する乾燥手段とを備える。乾燥手段は、一般に、温風を生じる温風発生手段を備える。
【００１１】
第１発明の物品乾燥装置および第２発明の物品乾燥便器装置では、便器装置に設けられている温風発生手段で生じた温風を乾燥室の中空内部に導入する。したがって、乾燥室の中空内部に物品を収容すれば、温風発生手段から吹き出した温風で物品を乾燥できる。第１発明の物品乾燥装置および第２発明の物品乾燥便器装置では、便器装置の温風発生手段を、物品乾燥装置の温風発生手段として兼用する。すなわち、第１発明の物品乾燥装置および第２発明の物品乾燥便器装置では、便器装置毎に個別に乾燥室を設ける。便器装置は、種々の公共施設や住居などに配設されており、個人で使用する場合や少人数で共用する場合が多いため、便器装置毎に個別に乾燥室を設けることで、ユーザーが個別に物品を乾燥できる。よって、第１発明の物品乾燥装置および第２発明の物品乾燥便器装置によると、ユーザーが好きなときに物品を乾燥できる。
【００１２】
また、温風発生手段を便器装置と共用するために、物品乾燥装置自体はさほど大型化せず、物品乾燥装置の製造コストも安価である。
【００１３】
第１発明の物品乾燥装置または第２発明の物品乾燥便器装置が、温風導入経路部を開閉する開閉手段を備える場合には、物品を乾燥しないときに温風導入経路部を閉じることができる。よって、物品を乾燥しないときに、物品乾燥装置と温風を共用する他の装置（局部洗浄乾燥装置など）に温風を効率よく導入できる。
【発明を実施するための最良の形態】
【００１４】
第１発明の物品乾燥装置および第２発明の物品乾燥便器装置における物品は、上述したスキー用手袋に限定されない。すなわち、第１発明の物品乾燥装置および第２発明の物品乾燥便器装置によると、スキー用手袋のみならず種々の物品を乾燥できる。第１発明の物品乾燥装置および第２発明の物品乾燥便器装置は、例えばスキー場のロッジや宿泊施設などの各種公共施設に設置しても良いし、個人の住居に設置しても良い。
【００１５】
第１発明および第２発明における乾燥室は、内部に中空を持つ形状であれば良く、箱状や枠状、袋状などの種々の形状に形成できる。乾燥室の中空内部は複数のチャンバに区画しても良いし、一つのチャンバのみから構成しても良い。チャンバは外界と常時連通しても良いし、蓋体などにより開閉可能に連通しても良い。温風導入経路部は導入口および吹出口をそれぞれ一つのみ備えても良いし、複数を備えても良い。例えば、温風導入経路部の吹出口側を複数に分岐させ、複数の吹出口を形成するとともに、吹出口を各チャンバに個別に連絡させても良い。この場合には、個々のチャンバ気密に区画すれば、チャンバの一つを開いて物品を出し入れしても、他のチャンバに充分な温風が吹き込む。よって、個々のチャンバを異なるタイミングで開閉し物品を出し入れしても、各チャンバ内に収容されている物品の乾燥に要する時間が長くなることはない。
【００１６】
便器装置が局部洗浄乾燥装置以外の温風発生手段を備える場合には、第１発明および第２発明における温風発生手段として、局部洗浄乾燥装置以外の温風発生手段を使用しても良い。
【実施例】
【００１７】
以下、本発明の物品乾燥装置および物品乾燥便器装置を図面を基に説明する。
【００１８】
実施例の物品乾燥便器装置は、第１発明の物品乾燥装置を備える第２発明の物品乾燥便器装置である。実施例の物品乾燥便器装置を模式的に表す斜視図を図１に示す。実施例の物品乾燥便器装置を図１中Ａ−Ａ’で水平に切断した断面図を図２に示す。実施例の物品乾燥便座装置の乾燥室を模式的に表す要部拡大斜視図を図３に示す。以下本明細書において、上、下、左、右、前、後とは図１に示す上、下、左、右、前、後を指すものとする。
【００１９】
実施例の物品乾燥便器装置は、便器装置１０と、乾燥室５０と、温風導入経路部６０とを備える。便器装置１０は、便蓋１１と便器１２と便座２０とを備える。便座２０は、左右に延びる軸部２１の左端が便器１２に枢支されている。軸部２１の右端は後述する第２ファンケーシングの左端に枢支されている。便蓋１１は軸部２１に枢支されている。便蓋１１および便座２０は便器１２に対して回動し、便器１２の上面を開閉する。便座２０は中空に形成されている。便蓋１１、便座２０および便器１２の後部には、局部洗浄乾燥装置の一部を収容するケース体１３が設けられている。ケース体１３は中空状をなす。図２に示すように、ケース体１３の内部には洗浄手段３０、第１温風発生手段３６および制御基板１４が収容されている。
【００２０】
洗浄手段３０は、温水タンク３１、ビデ用ノズル３２、肛門用ノズル３３、温水用ヒータ（図略）を備える。温水タンク３１は給水栓（図略）に接続され、給水栓から流入した水を内部に収容する。温水ヒータは温水タンク３１に接続され、温水タンク３１内の水を所定温度に加温する。温水用タンクにはビデ用ノズル３２および肛門用ノズル３３が接続されている。ビデ用ノズル３２および肛門用ノズル３３は、便座２０の下方に配され先端が便器１２の内部に突出する。ビデ用ノズル３２および肛門用ノズル３３には、開閉弁（図略）が接続され、開閉弁は制御基板１４に接続されている。温水用タンク内の水は、ビデ用ノズル３２や肛門用ノズル３３を介してユーザーの局部に噴射される。図１に示すように、ケース体１３の左側上面には操作パネル１５が配設されている。操作パネル１５には、操作スイッチ１５ａが形成されている。操作スイッチ１５ａは制御基板１４に接続されている。操作スイッチ１５ａを操作することで、開閉弁を開閉制御でき、所望する水量やタイミングでビデ用ノズル３２や肛門用ノズル３３から水を噴出できる。
【００２１】
図２に示すように、便蓋１１、便器１２および便座２０の右側後部には、ダクト状の第１ファンケーシング３５が配されている。第１ファンケーシング３５は、上下方向に延びる略円筒状の第１ファン内蔵部３５ａと第１ファン内蔵部３５ａの周壁に連結されている筒状の第１導入部３５ｂとをもつ。第１ファン内蔵部３５ａの内部と第１導入部３５ｂの内部とは連絡している。第１ファン内蔵部３５ａはケース体１３の右側下端部に内蔵されている。第１導入部３５ｂはケース体１３の外部に表出し先端が便器１２の内部にむけて開口している。
【００２２】
第１ファン内蔵部３５ａには第１温風発生手段３６が内蔵されている。第１温風発生手段３６は、シロッコファンからなる第１ファン（図略）と、電熱ヒータからなる第１ヒータ３７とを備える。第１ファンは第１ファン内蔵部３５ａの下壁に軸支されている。第１ヒータ３７は第１ファン内蔵部３５ａの上壁に固定され第１ファンよりも上方に配されている。第１ファン内蔵部３５ａの上壁には、第１ヒータ３７に対面する位置に、第１ファン内蔵部３５ａの内外を連通する第１内側採気孔（図略）が形成されている。第１ファンの回転軸には第１モータ３８の回転軸が接続されている。第１モータ３８は第１ファン内蔵部３５ａの下壁に固定され第１ファン内蔵部３５ａの下方に表出している。ケース体１３の壁面にはケース体１３の内外に連通する第１外側採気孔（図略）が形成され、第１ファン内蔵部３５ａの内部はケース体１３を介して外界と連通している。第１モータ３８および第１ヒータ３７は電源（図略）および制御基板１４に接続されている。操作パネル１５の操作スイッチ１５ａを操作することで、第１ヒータ３７および第１モータ３８の駆動をオン／オフ操作できる。
【００２３】
操作スイッチ１５ａを操作して第１ヒータ３７および第１モータ３８の駆動をオン操作すると、第１ファンが回転するとともに第１ヒータ３７が発熱する。第１ファンが回転すると、第１内側採気孔を介して第１ファン内蔵部３５ａの内部に空気が流入する。第１ファン内蔵部３５ａの内部に流入した空気は第１ヒータ３７により加熱され、第１ファンの内部に流入し、第１ファンの外部に吹き出す。第１ファンの外部に吹き出した空気（温風）は、第１ファン内蔵部３５ａから第１導入部３５ｂに流入し、便器１２の後方から内部に向けて吹き出す。
【００２４】
便蓋１１、便器１２および便座２０の右側後部には、ダクト状の第２ファンケーシング４５が配されている。第２ファンケーシング４５は、左右方向に延びる略円筒状の第２ファン内蔵部４５ａと第２ファン内蔵部４５ａの周壁に連結されている筒状の第２導入部４５ｂとをもつ。第２ファン内蔵部４５ａの内部と第２導入部４５ｂの内部とは連絡している。第２ファン内蔵部４５ａは便器１２の右側に配されている。第２導入部４５ｂの端部は左方に屈曲し、軸部２１の右端に挿通されている。第２導入部４５ｂの左端は軸部２１の右端を枢支している。換言すれば、軸部２１は第２ファンケーシング４５の左端と周方向に摺接しつつ第２ファンケーシング４５に対して回動する。軸部２１の右端と第２導入部４５ｂの左端との間には、断面略Ｕ字状のシール部材４０が介装されている。第２導入部４５ｂの内部と軸部２１の内部とは連通し、シール部材４０によってシールされている。
【００２５】
第２ファン内蔵部４５ａには第２温風発生手段４６が内蔵されている。第２温風発生手段４６は、シロッコファンからなる第２ファン４９と、電熱ヒータからなる第２ヒータ４７とを備える。第２ファン４９は第２ファン内蔵部４５ａの左壁に軸支されている。第２ヒータ４７は第２ファン内蔵部４５ａの右壁に固定され第２ファン４９よりも右方に配されている。第２ファン内蔵部４５ａの右壁には、第２ヒータ４７に対面する位置に、第２ファン内蔵部４５ａの内外を連通する第２内側採気孔４１が形成されている。第２ファン４９の回転軸には第２モータ４８の回転軸が接続されている。第２モータ４８は第２ファン内蔵部４５ａの左壁に固定され第２ファン内蔵部４５ａの左方に表出している。第２ファン内蔵部４５ａおよび第２温風発生手段４６は中空箱状をなす乾燥室５０の内部に収容されている。第２導入部４５ｂの左端は乾燥室５０の外部に表出している。第２導入部４５ｂの右側面は開口し、この開口には筒状の温風導入経路部６０の一端が固着されている。温風導入経路部６０の他端は乾燥室５０の内部に収容されている。すなわち、温風導入経路部６０の一端は、第２導入部４５ｂに形成されている開口と連通し第２ファンケーシング４５を介して第２温風発生手段４６に連絡する導入口６０ａを構成している。温風導入経路部６０の他端は、乾燥室５０の中空内部に連絡する吹出口６０ｂを構成する。実施例の物品乾燥便器装置における第２温風発生手段４６が、第１発明および第２発明における温風発生手段に相当する。
【００２６】
乾燥室５０は、図３に示すように、第２ファン内蔵部４５ａおよび第２温風発生手段４６を収容するとともに、物品を収容する。乾燥室５０の前側は開口し、乾燥室５０の開口は蓋体５１によって開閉可能に覆われている。実施例の物品乾燥便器装置において、乾燥室５０には、メッシュ状の区画壁５２で上下方向に区画された２つのチャンバ５３ａ、５３ｂが形成されている。乾燥室５０内部の空気は、上側のチャンバ５３ａと下側のチャンバ５３ｂとの間を流通する。吹出口６０ｂは上側のチャンバ５３ａに形成されている。
【００２７】
図２に示すように、便座２０の前端部左右には、下方に開口し便座２０の中空内部と外界とを連通する２つの局部乾燥吹出口２２が並設されている。２つの局部乾燥吹出口２２の左右側方および下方は、箱状の風向ガイド２３によって覆われている。さらに、便座２０の中空内部は、上下に延びる２つの遮風リブ２４によって、局部乾燥吹出口２２の一方である右側局部乾燥吹出口２２ａを含む領域（第１経路２５ａ）と、局部乾燥吹出口２２の他方である左側局部乾燥吹出口２２ｂを含む領域（第２経路２５ｂ）と、に気密に区画されている。
【００２８】
第２導入部４５ｂには、略半月板状の第１仕切り板７１とモータ（図略）とを備える第１開閉手段が配設されている。第１仕切り板７１は半円の弦に相当する回動軸がモータの回転軸に軸支され、モータに駆動されて回動する。第１仕切り板７１の回動軸は第２導入部４５ｂの前後方向の略中央部に配されている。第１仕切り板７１は、先端（半月の弧に相当する部分）が第２導入部４５ｂの周壁前側に当接する第１経路開放位置（図２に示す）と、先端が第２導入部４５ｂの周壁後側に当接する第２経路開放位置との間で回動する。第１仕切り板７１が第２経路開放位置に配されると、図２に示すように、第１経路２５ａと第２ファン内蔵部４５ａとの連通が遮蔽され、第２経路２５ｂと第２ファン内蔵部４５ａとが連通する。第１仕切り板７１が第１経路開放位置に配されると、第１経路２５ａと第２ファン内蔵部４５ａとが連通し、第２経路２５ｂと第２ファン内蔵部４５ａとの連通が遮蔽される。
【００２９】
温風導入経路部６０には、略円盤状の第２仕切り板７２とモータ（図略）とをもつ第２開閉手段が配設されている。第２仕切り板７２の回動軸は円周の接線とほぼ一致する位置に形成されている。第２仕切り板７２の回動軸は温風導入経路部６０の周壁前側にほぼ一致する位置に配されている。第２仕切り板７２は、温風導入経路部６０の周壁前側に当接し温風導入経路部６０を開く温風導入経路開放位置（図２に示す）と、温風導入経路部６０の周壁後側に当接し温風導入経路部６０を閉じる温風導入経路閉鎖位置と、の間で回動する。すなわち、第２開閉手段は温風導入経路部６０を開閉する。
【００３０】
乾燥室５０の壁面にはケース体１３の内外に連通する第２外側採気孔（図略）が形成され、第２ファン内蔵部４５ａの内部は乾燥室５０を介して外界と連通している。第２モータ４８および第２ヒータ４７は電源および制御基板１４に接続されている。第１開閉手段および第２開閉手段のモータもまた電源および制御基板１４に接続されている。操作パネル１５の操作スイッチ１５ａを操作することで、第２ヒータ４７、第２モータ４８、第１開閉手段モータおよび第２開閉手段のモータの駆動をオン／オフ操作できる。
【００３１】
操作スイッチ１５ａを操作して第２ヒータ４７および第２モータ４８の駆動をオン操作すると、第２ファン４９が回転するとともに第２ヒータ４７が発熱する。第２ファン４９が回転すると、第２内側採気孔４１を介して第２ファン内蔵部４５ａの内部に空気が流入する。第２ファン内蔵部４５ａの内部に流入した空気は第２ヒータ４７により加熱され、第２ファン４９の内部に流入し、第２ファン４９の外部に吹き出す。第２ファン４９の外部に吹き出した空気（温風）は、第２ファン内蔵部４５ａから第２導入部４５ｂおよび温風導入経路部６０に流入する。
【００３２】
第１開閉手段のモータの駆動をオン操作し、図２に示すように、第１仕切り板７１を第２経路開放位置に配すると、第２経路２５ｂと第２ファン内蔵部４５ａとが連通する。したがって、第２導入部４５ｂに流入した温風は、第２経路２５ｂを通り左側局部乾燥吹出口２２ｂを介して風向ガイド２３の内部に流入し、便器１２の前方から便器１２内部に向けて吹き出す。第１仕切り板７１を第１経路開放位置に配すると、第１経路２５ａと第２ファン内蔵部４５ａとが連通する。したがって、第２導入部４５ｂに流入した温風は、第１経路２５ａ部を通り右側局部乾燥吹出口２２ａを介して風向ガイド２３の内部に流入し、便器１２の前方から便器１２内部に向けて吹き出す。
【００３３】
実施例の物品乾燥便器装置において、操作スイッチ１５ａを操作して、図２に示すように第２仕切り板７２を温風導入経路開放位置に配すると、第２導入部４５ｂと温風導入経路部６０とが連通する。したがって、第２導入部４５ｂを介して温風導入経路部６０に流入した温風は、吹出口６０ｂを介して乾燥室５０の内部に流入する。このため、乾燥室５０の内部に収容された物品は温風に曝されて乾燥する。実施例の物品乾燥便器装置において、乾燥室５０、第２温風発生手段４６、および温風導入経路部６０が物品乾燥装置を構成する。
【００３４】
乾燥すべき物品がない場合には、操作スイッチ１５ａを操作して、第２仕切り板７２を温風導入経路閉鎖位置に配する。すると、第２導入部４５ｂと温風導入経路部６０との連通が遮蔽され、第２温風発生手段４６からの温風は、第１経路２５ａまたは第２経路２５ｂにのみ流入する。したがって、この場合には、温風を第１経路２５ａまたは第２経路２５ｂに効率よく導入でき、右側局部乾燥吹出口２２ａや左側局部乾燥吹出口２２ｂから大量の温風を吹き出すことができる。
【００３５】
実施例の物品乾燥装置は便器装置１０（物品乾燥便器装置）に一体化されているため、ユーザーが個人或いは少人数で利用できる。このため、ユーザーは所望するタイミングで物品を出し入れすることができる。また、実施例の物品乾燥便器装置は、個人のユーザーが使用するか或いはは少人数のユーザーが共用するために、個々のユーザーが異なるタイミングで物品を出し入れしても、乾燥室５０を開閉する回数はさほど多くない。よって、乾燥室５０内の温度はさほど低下せず、物品の乾燥に過大な時間を要しない。よって、実施例の物品乾燥装置および物品乾燥便器装置によると、ユーザーが好きなときに物品を乾燥できる。
【００３６】
実施例の物品乾燥便器装置では、便器装置１０の第２温風発生手段４６を温風発生手段として用いているが、第１温風発生手段３６を温風発生手段として用いても良い。この場合には、第１導入部３５ｂに開口を設け、この開口に温風導入経路部６０の導入口６０ａを連絡させればよい。この場合にも実施例の物品乾燥便器装置と同様に、温風発生手段から吹き出した温風を温風導入経路部６０を介して乾燥室５０の内部に導入でき、乾燥室５０の内部に収容された物品を乾燥させることができる。
【００３７】
実施例の物品乾燥便器装置では、乾燥室５０に蓋体５１を設けているが、乾燥させるべき物品によっては、蓋体５１を設けなくても良い。また、実施例の物品乾燥便器装置では、温風発生手段（第２温風発生手段４６）の一部のみを乾燥室５０に内蔵させているが、温風発生手段の全体を乾燥室５０に内蔵させても良いし、温風発生手段の全体を乾燥室５０の外部に配設しても良い。なお、少なくとも温風発生手段のヒータを乾燥室５０に内蔵させることで、ヒータで生じる熱を効率よく乾燥室５０内部に回収できる利点がある。
【図面の簡単な説明】
【００３８】
【図１】実施例の物品乾燥便器装置を模式的に表す斜視図である。
【図２】実施例の物品乾燥便器装置を図１中Ａ−Ａ’で水平に切断した断面図である。
【図３】実施例の物品乾燥便座装置の乾燥室を模式的に表す要部拡大斜視図である。
【符号の説明】
【００３９】
１０：便器装置、４６：第２温風発生手段（温風発生手段）、５０：乾燥室、６０：温風導入経路部
【図１】
2007077716.tif 000003
【図２】
2007077716.tif 000004
【図３】
2007077716.tif 000005